(57)【要約】【課題】いずれかの子機が他の無線システムにおける無線端末と通信したときに混乱を招く蓋然性を低減させることができるインターカムシステムを提供する。【解決手段】インターカムシステム１００の親機１０は、内部無線機３０と接続されている。子機20a1が無線システム２００の外部無線機４０と通信するときに、子機20a1からの音声信号を内部無線機３０へと出力し、内部無線機３０が音声信号を外部無線機４０に送信する。親機１０には、複数の子機のグループ分け設定情報と、音声信号を、複数の子機のグループのうちのいずれのグループに送信するかを設定する送信グループ設定情報とが記憶されている。親機１０は、グループ分け設定情報及び送信グループ設定情報を参照して、子機20a1からの音声信号を、送信グループ設定情報で設定されているグループ内の子機20a2，20b1，20b2に送信する。【選択図】図５
2016127472.tif 000002
【特許請求の範囲】
【請求項１】
インターカムシステムに備えられ、無線にて複数の子機と接続される親機であり、
前記親機は、
前記インターカムシステムとは異なる無線システムが備える外部無線機と無線にて通信するための内部無線機と接続されるように構成され、
前記複数の子機のうちのいずれかの子機が送信した信号を受信する受信部と、
前記複数の子機のうちのいずれかの子機へと音声信号を送信する送信部と、
前記複数の子機のうちのいずれかである発呼子機が、前記親機及び前記内部無線機を介して前記外部無線機と通信するときに、前記受信部が受信した前記発呼子機からの第１の音声信号を前記内部無線機へと出力する音声信号出力部と、
前記複数の子機のグループ分け設定情報と、前記第１の音声信号を、前記複数の子機のグループのうちのいずれのグループに送信するかを設定する送信グループ設定情報とを記憶する記憶部と、
前記グループ分け設定情報及び前記送信グループ設定情報を参照して、前記送信部によって、前記第１の音声信号を、前記送信グループ設定情報で設定されているグループ内の子機に送信するよう制御する制御部と、
を備えることを特徴とする親機。
【請求項２】
前記外部無線機が送信して前記内部無線機が受信した第２の音声信号を前記親機に入力させる音声信号入力部をさらに備え、
前記制御部は、前記グループ分け設定情報及び前記送信グループ設定情報を参照して、前記送信部によって、前記第２の音声信号を、前記送信グループ設定情報で設定されているグループ内の子機に送信するよう制御する
ことを特徴とする請求項１記載の親機。
【請求項３】
前記受信部が、前記発呼子機より、前記第１の音声信号を前記親機及び前記内部無線機を介して前記外部無線機へと送信するために、前記親機を外部無線送信モードに設定するための外部無線連絡制御信号を受信したら、前記内部無線機を、前記内部無線機が有する通話開始ボタンを押下したのに相当する状態とするための押下制御信号を前記内部無線機に供給する制御信号供給部をさらに備えることを特徴とする請求項１または２に記載の親機。
【請求項４】
第１の無線通信方式の子機が第１の無線通信方式とは異なる第２の無線通信方式の無線機に送信するための第１の音声信号を、前記子機から受信した場合、
前記無線機に、前記第１の音声信号を送信するとともに、
前記無線機から第２の音声信号を受信した場合に前記第２の音声信号の送信先として設定されている前記第１の無線通信方式の１または複数の子機に、前記第１の音声信号を送信する
ことを特徴とする親機。
【請求項５】
親機と、前記親機と無線にて接続された複数の子機とを備えるインターカムシステムであり、
前記親機は、
前記インターカムシステムとは異なる無線システムが備える外部無線機と無線にて通信するための内部無線機と接続されるように構成されており、
前記複数の子機のうちのいずれかの子機が送信した信号を受信する第１の受信部と、
前記複数の子機のうちのいずれかの子機へと音声信号を送信する第１の送信部と、
前記複数の子機のうちのいずれかである発呼子機が、前記親機及び前記内部無線機を介して前記外部無線機と通信するときに、前記第１の受信部が受信した前記発呼子機からの第１の音声信号を前記内部無線機へと出力する音声信号出力部と、
前記複数の子機のグループ分け設定情報と、前記第１の音声信号を、前記複数の子機のグループのうちのいずれのグループに送信するかを設定する送信グループ設定情報とを記憶する記憶部と、
前記グループ分け設定情報及び前記送信グループ設定情報を参照して、前記第１の送信部によって、前記第１の音声信号を、前記送信グループ設定情報で設定されているグループ内の子機に送信するよう制御する第１の制御部と、
を備えることを特徴とするインターカムシステム。
【請求項６】
親機と、前記親機と無線にて接続された複数の子機とを備え、前記親機が、他の無線システムが備える外部無線機と無線にて通信するための内部無線機と接続されるように構成されているインターカムシステムに用いる通信制御方法であり、
前記親機が、前記複数の子機のうちのいずれかである発呼子機より、音声信号を前記親機及び前記内部無線機を介して前記外部無線機へと送信するために、前記親機を外部無線送信モードに設定するための外部無線連絡制御信号を受信したら、前記内部無線機を、前記内部無線機が有する通話開始ボタンを押下したのに相当する状態とするための押下制御信号を前記内部無線機に供給し、
前記親機が、前記押下制御信号を前記内部無線機に供給している状態で、前記発呼子機より、前記音声信号を受信したら、前記音声信号を前記内部無線機へと出力し、
前記親機は、前記複数の子機のグループ分け設定情報と、前記音声信号を、前記複数の子機のグループのうちのいずれのグループに送信するかを設定する送信グループ設定情報とを参照して、前記音声信号を、前記送信グループ設定情報で設定されているグループ内の子機に送信する
ことを特徴とする通信制御方法。
【発明の詳細な説明】
【技術分野】
【０００１】
本発明は、インターカムシステム、インターカムシステムにおける親機、インターカムシステムで用いる通信制御方法に関する。
【背景技術】
【０００２】
親機と、親機と無線にて接続された複数の子機とを備えるインターカムシステムが普及している。インターカムシステムの通信可能範囲は比較的狭く、店舗等の屋内で使用されることが多い。
【０００３】
インターカムシステムの利便性を保ちながら、通信可能範囲を広げるために、インターカムシステムを、インターカムシステムよりも通信可能範囲の広い他の無線システムと連携させることが考えられる。
【先行技術文献】
【特許文献】
【０００４】
【特許文献１】特開２０１３−９８７６８号公報
【発明の概要】
【発明が解決しようとする課題】
【０００５】
複数の子機のうちのいずれかである発呼子機が他の無線システムにおける無線端末に音声信号を送信したとき、応答した無線端末からの音声信号を発呼子機のみに送信することが考えられる。
【０００６】
しかしながら、他の無線システムと連携するように構成したインターカムシステムにおいて、発呼子機と無線システムにおける無線端末とが１対１で通信すると、発呼子機以外の子機を有するユーザが通信内容を共有しないことに起因する混乱を招く可能性がある。
【０００７】
本発明は、他の無線システムと連携するように構成したインターカムシステムにおいて、複数の子機のうちのいずれかの子機が他の無線システムにおける無線端末と通信したときに混乱を招く蓋然性を低減させることができるインターカムシステム、親機、通信制御方法を提供することを目的とする。
【課題を解決するための手段】
【０００８】
本発明は、インターカムシステムに備えられ、無線にて複数の子機と接続される親機であり、前記親機は、前記インターカムシステムとは異なる無線システムが備える外部無線機と無線にて通信するための内部無線機と接続されるように構成され、前記複数の子機のうちのいずれかの子機が送信した信号を受信する受信部と、前記複数の子機のうちのいずれかの子機へと音声信号を送信する送信部と、前記複数の子機のうちのいずれかである発呼子機が、前記親機及び前記内部無線機を介して前記外部無線機と通信するときに、前記受信部が受信した前記発呼子機からの第１の音声信号を前記内部無線機へと出力する音声信号出力部と、前記複数の子機のグループ分け設定情報と、前記第１の音声信号を、前記複数の子機のグループのうちのいずれのグループに送信するかを設定する送信グループ設定情報とを記憶する記憶部と、前記グループ分け設定情報及び前記送信グループ設定情報を参照して、前記送信部によって、前記第１の音声信号を、前記送信グループ設定情報で設定されているグループ内の子機に送信するよう制御する制御部とを備えることを特徴とする親機を提供する。
【０００９】
本発明は、第１の無線通信方式の子機が第１の無線通信方式とは異なる第２の無線通信方式の無線機に送信するための第１の音声信号を、前記子機から受信した場合、前記無線機に、前記第１の音声信号を送信するとともに、前記無線機から第２の音声信号を受信した場合に前記第２の音声信号の送信先として設定されている前記第１の無線通信方式の１または複数の子機に、前記第１の音声信号を送信することを特徴とする親機を提供する。
【００１０】
本発明は、親機と、前記親機と無線にて接続された複数の子機とを備えるインターカムシステムであり、前記親機は、前記インターカムシステムとは異なる無線システムが備える外部無線機と無線にて通信するための内部無線機と接続されるように構成されており、前記複数の子機のうちのいずれかの子機が送信した信号を受信する第１の受信部と、前記複数の子機のうちのいずれかの子機へと音声信号を送信する第１の送信部と、前記複数の子機のうちのいずれかである発呼子機が、前記親機及び前記内部無線機を介して前記外部無線機と通信するときに、前記第１の受信部が受信した前記発呼子機からの第１の音声信号を前記内部無線機へと出力する音声信号出力部と、前記複数の子機のグループ分け設定情報と、前記第１の音声信号を、前記複数の子機のグループのうちのいずれのグループに送信するかを設定する送信グループ設定情報とを記憶する記憶部と、前記グループ分け設定情報及び前記送信グループ設定情報を参照して、前記第１の送信部によって、前記第１の音声信号を、前記送信グループ設定情報で設定されているグループ内の子機に送信するよう制御する第１の制御部とを備えることを特徴とするインターカムシステムを提供する。
【００１１】
本発明は、親機と、前記親機と無線にて接続された複数の子機とを備え、前記親機が、他の無線システムが備える外部無線機と無線にて通信するための内部無線機と接続されるように構成されているインターカムシステムに用いる通信制御方法であり、前記親機が、前記複数の子機のうちのいずれかである発呼子機より、音声信号を前記親機及び前記内部無線機を介して前記外部無線機へと送信するために、前記親機を外部無線送信モードに設定するための外部無線連絡制御信号を受信したら、前記内部無線機を、前記内部無線機が有する通話開始ボタンを押下したのに相当する状態とするための押下制御信号を前記内部無線機に供給し、前記親機が、前記押下制御信号を前記内部無線機に供給している状態で、前記発呼子機より、前記音声信号を受信したら、前記音声信号を前記内部無線機へと出力し、前記親機は、前記複数の子機のグループ分け設定情報と、前記音声信号を、前記複数の子機のグループのうちのいずれのグループに送信するかを設定する送信グループ設定情報とを参照して、前記音声信号を、前記送信グループ設定情報で設定されているグループ内の子機に送信することを特徴とする通信制御方法を提供する。
【発明の効果】
【００１２】
本発明のインターカムシステム、親機、通信制御方法によれば、他の無線システムと連携するように構成したインターカムシステムにおいて、複数の子機のうちのいずれかの子機が他の無線システムにおける無線端末と通信したときに混乱を招く蓋然性を低減させることができる。
【図面の簡単な説明】
【００１３】
【図１】一実施形態のインターカムシステムの全体的な構成を示すブロック図である。
【図２】一実施形態のインターカムシステムを構成する親機及び子機の具体的な構成例を示すブロック図である。
【図３】一実施形態のインターカムシステムにおいて、親機が有する記憶部に記憶されているグループ分け設定情報及び送信グループ設定情報の例を示す図である。
【図４】一実施形態のインターカムシステム及び通信制御方法で実行される動作を示すシーケンス図である。
【図５】一実施形態のインターカムシステムにおいて、外部無線連絡音声信号を他の無線システムの外部無線機に送信している状態の一例を示すブロック図である。
【図６】一実施形態のインターカムシステムにおいて、他の無線システムの外部無線機より音声信号を受信している状態を示すブロック図である。
【図７】一実施形態のインターカムシステムにおいて、外部無線連絡音声信号を他の無線システムの外部無線機に送信している状態の他の例を示すブロック図である。
【図８】一実施形態のインターカムシステムを構成する親機の動作を説明するためのフローチャートである。
【発明を実施するための形態】
【００１４】
以下、一実施形態のインターカムシステム、親機、通信制御方法について、添付図面を参照して説明する。インターカムシステムは第１の無線通信方式を採用し、後述する他の無線システムは第２の無線通信方式を採用する。
【００１５】
図１において、インターカムシステム１００と、他の無線システムとして、インターカムシステム１００とは異なる無線システム２００とが存在している。インターカムシステム１００の通信可能範囲は比較的狭く、無線システム２００の通信可能範囲はインターカムシステム１００の通信可能範囲と比較して広い。
【００１６】
インターカムシステム１００は、親機１０と、複数の子機20a1，20a2，20b1，20b2，20c1，20c2を備える。子機20a1，20a2，20b1，20b2，20c1，20c2の全体、または、いずれの子機であるかを特定しない任意の子機を子機２０と称することとする。親機１０と子機２０とは、全二重通信方式でデジタル音声信号を送受信する。
【００１７】
親機１０は、無線システム２００で使用可能な無線機３０と接続されるように構成されている。親機１０と無線機３０とは、有線で接続されている。
【００１８】
親機１０に無線機３０が接続された場合、インターカムシステム１００は、親機１０と、子機２０と、無線機３０とで構成されることになる。無線機３０はインターカムシステム１００の内部に存在しており、無線機３０を内部無線機３０と称することとする。
【００１９】
無線システム２００は、無線システム２００で用いる無線端末として、複数の無線機４０〜６０を備える。内部無線機３０も、無線システム２００で用いる無線端末である。無線システム２００が備える無線機は１つであってもよい。無線機４０〜６０は、インターカムシステム１００の外部に存在しており、無線機４０〜６０を外部無線機４０〜６０と称することとする。
【００２０】
内部無線機３０と外部無線機４０〜６０とは、例えば、半二重通信方式で音声信号を送受信する。無線システム２００は、全二重通信方式を採用する携帯電話網を用いた無線システムであってもよい。
【００２１】
無線システム２００を、半二重通信方式を採用する無線システムとすれば、携帯電話網を用いた無線システムのような通信費が発生しないので、半二重通信方式を採用する無線システムとするのが好ましい。
【００２２】
特に図示していないが、無線システム２００は、基地局またはレピータを備えていてもよい。
【００２３】
インターカムシステム１００は屋内に設置されていてもよいし、屋外に設置されていてもよい。外部無線機４０〜６０を所持するユーザは、インターカムシステム１００の通信可能範囲から離れた場所にいるものとする。
【００２４】
図２は、親機１０及び子機２０の具体的な構成例を示している。図２に示すように、親機１０は、制御部１１，受信部１２，音声合成部１３，送信部１４，記憶部１５，音声信号入出力部１６，制御信号供給部１７，音声信号入出力端子１８，制御信号出力端子１９を備える。
【００２５】
制御部１１は、マイクロプロセッサまたはマイクロコンピュータで構成することができる。受信部１２及び送信部１４は、受信回路と送信回路と送受信用アンテナで構成される。音声合成部１３と音声信号入出力部１６と制御信号供給部１７とは、それぞれ、音声合成回路と音声信号入出力回路と制御信号供給回路で構成される。
【００２６】
音声信号入出力部１６は、音声信号入力部と音声信号出力部とが別々に構成されていてもよいし、両者が一体的に構成されていてもよい。音声信号入出力部１６は、Ａ／Ｄ変換器及びＤ／Ａ変換器を含むことがある。
【００２７】
記憶部１５は、EEPROM等の不揮発性メモリによって構成することができる。
【００２８】
子機２０は、制御部２１，通話ボタン２２，外部無線連絡ボタン２３，マイクロホン２４，スピーカ２５，送信部２６，受信部２７を備える。
【００２９】
制御部２１は、マイクロプロセッサまたはマイクロコンピュータで構成することができる。送信部２６及び受信部２７は、受信回路と送信回路と送受信用アンテナで構成される。
【００３０】
まず、子機２０の概略的な動作を説明する。ユーザが通話ボタン２２を押下して音声を発すると、制御部２１は、マイクロホン２４が収音した音声に基づく音声信号を含むデジタルＲＦ信号を送信部２６より受信部１２に送信するように構成されている。
【００３１】
受信部２７が送信部１４より音声信号を含むデジタルＲＦ信号を受信すると、制御部２１は、音声信号をスピーカ２５に供給する。スピーカ２５は、入力された音声信号に基づく音声を出力させる。
【００３２】
外部無線連絡ボタン２３は、子機２０からの音声信号を、親機１０及び内部無線機３０を介して外部無線機４０〜６０のうちの１または複数に送信する外部無線送信モードに設定するために設けられている。
【００３３】
外部無線連絡ボタン２３が押下されていない状態では、子機２０は通常モードに設定されている。外部無線連絡ボタン２３が押下されると、制御部２１は、送信部２６によって外部無線連絡制御信号を受信部１２へと送信する。これによって、子機２０は外部無線送信モードに設定される。
【００３４】
外部無線連絡ボタン２３が再び押下されると、制御部２１は、送信部２６によって外部無線連絡解除制御信号を受信部１２へと送信する。これによって、子機２０は外部無線送信モードが解除されて通常モードに設定される。
【００３５】
送信部２６から受信部１２へと音声信号が送信される場合には、音声信号を含んで構成されるパケットが無線信号として送信される。送信部２６から受信部１２へと制御信号（外部無線連絡制御信号または外部無線連絡解除制御信号）が送信される場合には、制御信号を含んで構成されるパケットが無線信号として送信される。
【００３６】
次に、親機１０の概略的な動作を説明する。受信部１２は、送信部２６から送信されたデジタルＲＦ信号を受信する。デジタルＲＦ信号は、上記のように、音声信号または制御信号を含む。
【００３７】
音声合成部１３は、後述する同じグループ内の複数の子機２０が音声信号を送信したときに、受信部１２が受信した音声信号を合成する。
【００３８】
グループ内の１つの子機２０がグループ内で通話するために音声信号を送信すると、送信部１４は、受信部１２が受信した音声信号を、同じグループ内のそれぞれの子機２０に送信する。
【００３９】
グループ内の複数の子機２０がグループ内で通話するために音声信号を送信すると、送信部１４は、受信部１２が受信して音声合成部１３が合成した音声信号を、同じグループ内のそれぞれの子機２０に送信する。
【００４０】
後に詳述するように、いずれかの子機２０が発呼子機となって、親機１０及び内部無線機３０を介して外部無線機４０〜６０のうちの１または複数と通信するために音声信号を送信すると、送信部１４は、受信部１２が受信した音声信号を特定のグループ内のそれぞれの子機２０に送信する。
【００４１】
複数の子機２０が同時に発呼子機となって、外部無線機４０〜６０と通信することが許容されている場合には、送信部１４は、音声合成部１３が合成した複数の子機２０からの音声信号を特定のグループ内のそれぞれの子機２０に送信する。
【００４２】
また、外部無線機４０〜６０が内部無線機３０に音声信号を送信したとき、送信部１４は、内部無線機３０から親機１０へと入力された音声信号を特定のグループ内のそれぞれの子機２０に送信する。
【００４３】
制御部１１には、記憶部１５が接続されている。制御部１１が記憶部１５の機能を有していてもよい。図３に示すように、記憶部１５には、グループ分け設定情報と、送信グループ設定情報とが記憶されている。記憶部１５には、親機１０のモードの状態が記憶される。
【００４４】
グループ分け設定情報は、それぞれのグループがどの子機２０を含むように設定されているかを示している。
【００４５】
グループＧｐＡには、グループ内の子機２０として子機20a1，20a2が設定されている。グループＧｐＢには、グループ内の子機２０として子機20b1，20b2が設定されている。グループＧｐＣには、グループ内の子機２０として子機20c1，20c2が設定されている。
【００４６】
それぞれの子機２０は、それぞれの子機２０を一意に識別するための識別情報を有しており、グループ分け設定情報には、それぞれのグループ内の子機２０の識別情報が設定されている。
【００４７】
図１においては、グループＧｐＡ，ＧｐＢ，ＧｐＣそれぞれに含まれる子機２０を、破線で示す楕円にて囲んでいる。
【００４８】
送信グループ設定情報は、外部無線機４０〜６０から子機２０へ通信するときに、外部無線機４０〜６０が送信した音声信号を、送信部１４が送信する送信先のグループを示す。従って、送信グループ設定情報が示すグループ内の子機は、換言すると、外部無線機４０〜６０から音声信号を受信した場合にこの音声信号の送信先として設定されている１または複数の子機２０ということになる。
【００４９】
また、本実施形態においては、送信グループ設定情報は、子機２０から外部無線機４０〜６０へ通信するときに、子機２０が送信した音声信号を、送信部１４が送信する送信先のグループを示す情報としても使用される。
【００５０】
図３に示す例では、送信グループ設定情報として、グループＧｐＡ，ＧｐＢが設定されている。
【００５１】
図２に戻り、音声信号入出力部１６は、子機２０と外部無線機４０〜６０とが通信するときに、子機２０が送信して受信部１２が受信した音声信号を、音声信号入出力端子１８へと出力する。
【００５２】
音声信号入出力部１６は、デジタル音声信号をＤ／Ａ変換してアナログ音声信号を音声信号入出力端子１８へと出力する。アナログ音声信号は、音声信号入出力端子１８より内部無線機３０へと供給される。
【００５３】
音声信号入出力部１６がデジタル音声信号のまま内部無線機３０に供給する構成であってもよい。
【００５４】
制御部１１に外部無線連絡制御信号が入力されたら、制御部１１は、通常モードの状態である親機１０を外部無線送信モードに設定する。制御部１１は、親機１０が外部無線送信モードに設定されていることを記憶部１５に記憶させる。外部無線送信モードに設定されていることを制御部１１が記憶してもよい。
【００５５】
外部無線送信モードに設定されている状態において、制御部１１は、内部無線機３０が有するＰＴＴ（Push To Talk）ボタン（通話開始ボタン）を押下したのに相当する状態とするためのＰＴＴ押下制御信号を生成する。制御信号供給部１７は、ＰＴＴ押下制御信号を制御信号出力端子１９へと出力する。ＰＴＴ押下制御信号は、制御信号出力端子１９より内部無線機３０へと供給される。
【００５６】
内部無線機３０は、入力されたアナログ音声信号をＡ／Ｄ変換する。内部無線機３０にＰＴＴ押下制御信号が入力されると、内部無線機３０はＰＴＴボタンを押下したのに相当する状態とされる。よって、内部無線機３０は、デジタル音声信号を外部無線機４０〜６０のうちの１または複数に送信することができる。
【００５７】
制御部１１に外部無線連絡解除制御信号が入力されたら、制御部１１は、親機１０を通常モードに戻し、親機１０が通常モードに設定されていることを記憶部１５に記憶させる。
【００５８】
外部無線送信モードから通常モードへと切り換えられたら、制御部１１は、ＰＴＴボタンの押下を解除したのに相当する状態とするためのＰＴＴ押下解除制御信号を生成する。制御信号供給部１７は、ＰＴＴ押下解除制御信号を制御信号出力端子１９へと出力する。ＰＴＴ押下解除制御信号は、制御信号出力端子１９より内部無線機３０へと供給される。
【００５９】
これによって、内部無線機３０はＰＴＴボタンの押下を解除したのに相当する状態とされるので、デジタル音声信号を外部無線機４０〜６０に送信できない状態となる。
【００６０】
図４に示すシーケンス図を用いて、親機１０、子機２０、内部無線機３０、外部無線機４０の動作をさらに説明する。ここでは、内部無線機３０は、外部無線機４０〜６０のうち、外部無線機４０のみと通信する場合を示している。
【００６１】
内部無線機３０が、外部無線機５０または６０のみと通信してもよいし、外部無線機４０〜６０のうちの任意の２つの外部無線機と通信してもよい。内部無線機３０が、外部無線機４０〜６０の全てと同時に通信してもよい。
【００６２】
一例として、グループＧｐＡの子機20a1のユーザが、ステップＳ１にて、グループ内通話のために、通話ボタン２２を押下して音声を発すると、送信部２６は親機１０に音声信号を送信する。子機20a1は、グループ内通話の発呼子機である。
【００６３】
送信部１４は、ステップＳ２にて、受信部１２が受信した音声信号をグループＧｐＡの他の子機２０（ここでは子機20a2）にグループ内送信する。
【００６４】
図１は、ステップＳ１，Ｓ２に示すグループＧｐＡにおけるグループ内通話とグループ内送信の状態を示している。
【００６５】
一例として、グループＧｐＡの子機20a1のユーザが、ステップＳ３にて、外部無線連絡ボタン２３を押下すると、送信部２６は親機１０に外部無線連絡制御信号を送信する。子機20a1は、外部無線送信モードに設定される。
【００６６】
すると、親機１０は、ステップＳ４にて、ＰＴＴ押下制御信号を内部無線機３０へと供給する。これによって、親機１０も外部無線送信モードに設定される。
【００６７】
グループＧｐＡの子機20a1のユーザが、ステップＳ５にて、通話ボタン２２を押下して音声を発すると、送信部２６は親機１０に外部無線連絡音声信号を送信する。子機20a1は、外部無線送信の発呼子機である。
【００６８】
送信部１４は、ステップＳ６にて、受信部１２が受信した外部無線連絡音声信号を、制御部１１による制御に基づき、送信グループ設定情報で設定されているグループ内の子機２０に送信する。
【００６９】
ここでは、送信グループ設定情報としてグループＧｐＡ，ＧｐＢが設定されているので、制御部１１が送信グループ設定情報を参照して、送信部１４が、外部無線連絡音声信号をグループＧｐＡ内の子機20a2とグループＧｐＢ内の子機20b1，20b2とに送信する。
【００７０】
音声信号入出力部１６は、ステップＳ７にて、外部無線連絡音声信号を内部無線機３０に出力する。内部無線機３０にはステップＳ４にてＰＴＴ押下制御信号が供給されているので、内部無線機３０は、外部無線連絡音声信号を無線システム２００へと送信可能な状態とされている。内部無線機３０は、ステップＳ８にて、外部無線機４０に外部無線連絡音声信号を送信する。
【００７１】
ステップＳ６とステップＳ７との順は逆であってもよいし、同時であってもよい。
【００７２】
以上のステップＳ３〜Ｓ８によって、図５に示すように、インターカムシステム１００において、子機20a1からの外部無線連絡音声信号が、送信グループ設定情報で設定されているグループ内の各子機２０と、外部無線機４０とに送信される。
【００７３】
子機20a1のユーザが、ステップＳ９にて、外部無線連絡ボタン２３を再び押下すると、送信部２６は親機１０に外部無線連絡解除制御信号を送信する。すると、親機１０は、ステップＳ１０にて、ＰＴＴ押下解除制御信号を内部無線機３０へと供給する。
【００７４】
これによって、子機20a1及び親機１０は外部無線送信モードが解除されて、通常モードに戻る。
【００７５】
外部無線機４０のユーザは、ステップＳ１１にて、インターカムシステム１００内の子機２０と通話するために、ＰＴＴボタンを押下して音声信号を内部無線機３０に送信する。内部無線機３０は、ステップＳ１２にて、受信した音声信号を親機１０へと供給し、音声信号入出力部１６は音声信号を親機１０内部へと入力させる。
【００７６】
送信部１４は、ステップＳ１３にて、音声信号を、制御部１１による制御に基づき、送信グループ設定情報で設定されているグループ内の子機２０に送信する。
【００７７】
以上のステップＳ１１〜Ｓ１３によって、図６に示すように、インターカムシステム１００において、外部無線機４０からの音声信号が、送信グループ設定情報で設定されているグループ内の各子機２０に送信される。
【００７８】
図７は、図５と同様にして、グループＧｐＣの子機20c1が外部無線連絡ボタン２３を押下し、通話ボタン２２を押下して音声を発した場合を示している。この場合、子機20c1からの外部無線連絡音声信号は、内部無線機３０から外部無線機４０へと送信され、かつ、グループＧｐＡ内の子機20a2とグループＧｐＢ内の子機20b1，20b2とに送信される。
【００７９】
図８のフローチャートを用いて、親機１０の動作をさらに説明する。図８において、親機１０は、ステップＳ２１にて、音声信号を受信する。制御部１１は、ステップＳ２２にて、音声信号の送信元が子機２０であるか否かを判定する。制御部１１は、子機２０であれば（YES）、処理をステップＳ２３へと移行させ、子機２０でなければ（NO）、即ち、音声信号の送信元が内部無線機３０であれば、処理をステップＳ２６へと移行させる。
【００８０】
制御部１１は、ステップＳ２３にて、親機１０が通常モードに設定されているか否かを判定する。通常モードに設定されていれば（YES）、制御部１１は、ステップＳ２４にて、ステップＳ２１で受信した音声信号を送信元の子機が属するグループ内の子機２０に送信するよう制御する。
【００８１】
通常モードに設定されていなければ（NO）、即ち、外部無線送信モードに設定されていれば、制御部１１は、ステップＳ２５にて、ステップＳ２１で受信した音声信号を、内部無線機３０を介して外部無線機４０に送信する。
【００８２】
なお、ステップＳ２３で通常モードでない（NO）と判定された場合のステップＳ２１で受信した音声信号は、子機２０が外部無線機４０（または５０，６０）に送信するための音声信号である。
【００８３】
制御部１１は、ステップＳ２４の後、処理をステップＳ２１に戻す。制御部１１は、ステップＳ２５の後、処理をステップＳ２６へと移行させる。
【００８４】
制御部１１は、ステップＳ２６にて、ステップＳ２１で受信した音声信号を、送信グループ設定情報で設定されているグループ内の子機２０に送信するよう制御する。制御部１１は、ステップＳ２６の後、処理をステップＳ２１に戻す。制御部１１は、ステップＳ２１〜Ｓ２６の処理を繰り返す。
【００８５】
以上説明した本実施形態のインターカムシステム１００、親機１０、通信制御方法によれば、以下のような効果を奏する。
【００８６】
図５に示すように、子機20a1のユーザから外部無線機４０へと送信した音声は、グループＧｐＡ，ＧｐＢ内の子機２０に送信される。また、図６に示すように、外部無線機４０から送信された音声信号は、同じくグループＧｐＡ，ＧｐＢ内の子機２０に送信される。よって、グループＧｐＡ，ＧｐＢ内の子機２０のユーザは、子機20a1と外部無線機４０との間で行われる通信内容の全体を把握することができるので、混乱を招く蓋然性を低減（または回避）させることができる。
【００８７】
図５において、子機20a1のユーザがグループＧｐＡのリーダではなく、子機20a2のユーザがグループＧｐＡのリーダであり、グループＧｐＢには、グループＧｐＡのリーダよりも上位者がいるものとする。子機20a1のユーザは、子機20a2のユーザの代わりに、外部無線機４０のユーザへと所定の連絡事項を送信したとする。
【００８８】
子機20a1のユーザから外部無線機４０へと送信された外部無線連絡音声信号は、グループＧｐＡ，ＧｐＢの全体で通信内容が共有される。図６に示すように、外部無線機４０から送信された音声信号は、グループＧｐＡ，ＧｐＢ内の子機２０に送信される。
【００８９】
よって、グループＧｐＡのリーダである子機20a2のユーザや、グループＧｐＢ内の上位者は、通信内容の全体を把握することができるので、混乱を招く蓋然性を低減（または回避）させることができる。
【００９０】
図７のように、グループＧｐＣの子機20c1のユーザが外部無線機４０へと外部無線連絡音声信号を送信した場合も同様である。
【００９１】
以上説明した本実施形態のインターカムシステム１００、親機１０、通信制御方法によれば、図３に示すように、送信グループ設定情報によって、いずれかの子機２０が外部無線連絡音声信号を送信したときに通信内容を共有するグループを適宜に設定することができる。
【００９２】
よって、他の無線システムと連携するように構成したインターカムシステムにおいて、複数の子機のうちのいずれかの子機が他の無線システムにおける無線端末と通信したときに混乱を招く蓋然性を低減（または回避）させることができる。
【００９３】
本発明は以上説明した本実施形態に限定されるものではなく、本発明の要旨を逸脱しない範囲において種々変更可能である。親機１０と子機２０はハードウェアで構成してもよいし、部分的にソフトウェア（コンピュータプログラム）で構成してもよい。ハードウェアとソフトウェアとの使い分けは任意である。
【符号の説明】
【００９４】
１０  親機
１１，２１  制御部
１２，２７  受信部
１４，２６  送信部
１５  記憶部
１６  音声信号入出力部（音声信号入力部，音声信号出力部）
１７  制御信号供給部
20a1，20a2，20b1，20b2，20c1，20c2  子機
２２  通話ボタン
２３  外部無線連絡ボタン
３０  内部無線機
４０，５０，６０  外部無線機
１００  インターカムシステム
２００  無線システム
【図１】
2016127472.tif 000003
【図２】
2016127472.tif 000004
【図３】
2016127472.tif 000005
【図４】
2016127472.tif 000006
【図５】
2016127472.tif 000007
【図６】
2016127472.tif 000008
【図７】
2016127472.tif 000009
【図８】
2016127472.tif 000010